(57)【要約】【課題】高所作業の対象物の状況を問わず、墜落事故防止のための準備を迅速に行うことができ、高い安全性を確保できる方法及び墜落防止設備を提供する。【解決手段】天井クレーンのガーダー３０に、その桁行方向に移動する横行装置３３の移動を妨げないように安全ブロック３を取り付け、安全ブロック３のリトラクター３ａに巻回され巻取方向へ付勢された帯ロープ３ｂの先端の取付フック３ｃに被掛体４を繋いでおき、作業員が所持する引寄ポール２３の柄２４の先端側の引掛部２５を被掛体４に引っ掛けて、安全ブロック３のリトラクター３ａから帯ロープ３ｂを引き出しつつ被掛体４を引き寄せ、作業員が着用する安全帯２１の接続部２２と取付フック３ｃを接続する。【選択図】図１
2018033785.tif 000002
【特許請求の範囲】
【請求項１】
天井クレーンのガーダー(30)に、その桁行方向に移動する横行装置(33)の移動を妨げないように安全ブロック(3)を取り付け、安全ブロック(3)のリトラクター(3a)に巻回され巻取方向へ付勢された帯ロープ(3b)の先端の取付フック(3c)に被掛体(4)を繋いでおき、作業員が所持する引寄ポール(23)の柄(24)の先端側の引掛部(25)を前記被掛体(4)に引っ掛けて、前記安全ブロック(3)のリトラクター(3a)から帯ロープ(3b)を引き出しつつ前記被掛体(4)を引き寄せ、作業員が着用する安全帯(21)の接続部(22)と前記取付フック(3c)を接続する天井クレーン下での高所作業における墜落防止方法。
【請求項２】
請求項１に記載の墜落防止方法において、前記安全ブロック(3)は、天井クレーンのガーダー(30)の桁行方向に沿って移動自在に支持することを特徴とする天井クレーン下での高所作業における墜落防止方法。
【請求項３】
請求項２に記載の墜落防止方法に使用する墜落防止設備であって、天井クレーンのガーダー(30)にその桁行方向に交差する方向に張り出して固着される複数本の張出材(1)と、前記張出材(1)の先端部間に渡して固定された随行レール(2)と、前記随行レール(2)にその長さ方向に沿って移動自在に支持された安全ブロック(3)と、前記安全ブロック(3)のリトラクター(3a)に巻回され巻取方向へ付勢された帯ロープ(3b)の先端の取付フック(3c)に繋がる被掛体(4)とから成る天井クレーン用墜落防止設備。
【請求項４】
請求項３に記載の墜落防止設備において、前記張出材(1)の基端部にフック板(5)が取り付けられ、前記張出材(1)の基部が天井クレーンのガーダー(30)の上面に載置されて固着され、前記フック板(5)の鉤状部分の凹溝部(5a)により天井クレーンのガーダー(30)のフランジ(32)が抱持されるものとしたことを特徴とする天井クレーン用墜落防止設備。
【請求項５】
請求項３又は４に記載の墜落防止設備において、前記張出材(1)の両側面に相反する方向へ迫り出す羽板(6)が設けられ、前記羽板(6)の下辺が天井クレーンのガーダー(30)の上面に載置されるものとしたことを特徴とする天井クレーン用墜落防止設備。
【発明の詳細な説明】
【技術分野】
【０００１】
この発明は、天井クレーンのガーダーの下方で高所作業を行う際、作業員の墜落事故を防止するための方法及び墜落防止設備に関するものである。
【背景技術】
【０００２】
近年、大型の機械装置の保守点検作業や荷役作業に際して、作業員が高所から墜落する労働災害が多発している状況がある。その対策として、上記のような高所作業に使用される天井クレーンを利用し、天井クレーンの吊フックに安全ブロックを取り付け、そのリトラクターから帯ロープを引き出して、帯ロープの先端部のフックを作業員が着用した安全帯の接続部に接続し、これにより墜落事故を防止する方法が考えられる。
【０００３】
ところが、クレーン等安全規則第２６条によると、天井クレーンで作業員を吊り下げることが禁止され、実質的にもこの方法は危険であり、また、天井クレーンを稼働させて作業を行う際には、ガーダーや吊フックが動くことから、吊フックに安全ブロックを取り付けることができない。
【０００４】
このような現状に鑑みて、下記特許文献１に記載されたような高所作業者の墜落防止装置を使用することも考えられる。
【０００５】
この墜落防止装置は、図９に示すように、上部に安全帯用ワイヤロープ６１を掛ける掛り部５１を有する支柱５２と、支柱５２を垂直に支持するための基台５３とから成り、基台５３を作業者が昇る重量物７０の底側の空間に差し込み、基台５３を昇降装置６２で上昇させ、重量物７０の底部に基台５３を下方から押し当てて、支柱５２を直立状態に固定し、支柱５２の上部間にワイヤロープ６１を渡し、作業者が着用した安全帯の接続部をワイヤロープ６１に接続することにより、作業者の墜落事故防止を図るものである。
【先行技術文献】
【特許文献】
【０００６】
【特許文献１】特開２００３−１３５６１３号公報
【発明の概要】
【発明が解決しようとする課題】
【０００７】
しかしながら、上記のような墜落防止装置は、高所作業の対象物の底側に適度な空間がある場合にしか使用できず、使用できる状況が限定されるという問題がある。
【０００８】
また、高所作業の対象物が変わるたびに設置しなおさなければならず、墜落事故防止のための作業準備に手間取るという問題もある。
【０００９】
そこで、この発明は、高所作業の対象物の状況を問わず、墜落事故防止のための準備を迅速に行うことができ、高い安全性を確保できる方法及び墜落防止設備を提供しようとするものである。
【課題を解決するための手段】
【００１０】
上記のような課題を解決するため、この発明に係る墜落事故防止方法においては、天井クレーンのガーダーに、その桁行方向に移動する横行装置の移動を妨げないように安全ブロックを取り付け、安全ブロックのリトラクターに巻回され巻取方向へ付勢された帯ロープの先端の取付フックに被掛体を繋いでおき、作業員が所持する引寄ポールの柄の先端側の引掛部を前記被掛体に引っ掛けて、前記安全ブロックのリトラクターから帯ロープを引き出しつつ前記被掛体を引き寄せ、作業員が着用する安全帯の接続部と前記取付フックを接続することとしたのである。
【００１１】
また、前記安全ブロックは、天井クレーンのガーダーの桁行方向に沿って移動自在に支持するものとしたのである。
【００１２】
また、上記方法に使用する墜落防止設備は、天井クレーンのガーダーにその桁行方向に交差する方向に張り出して固着される複数本の張出材と、前記張出材の先端部間に渡して固定された随行レールと、前記随行レールにその長さ方向に沿って移動自在に支持された安全ブロックと、前記安全ブロックのリトラクターに巻回され巻取方向へ付勢された帯ロープの先端の取付フックに繋がる被掛体とから成るものとしたのである。
【００１３】
また、前記張出材の基端部にフック板が取り付けられ、前記張出材の基部が天井クレーンのガーダーの上面に載置されて固着され、前記フック板の鉤状部分の凹溝部により天井クレーンのガーダーのフランジが抱持されるものとし、張出材のガーダーへの取付作業時における張出材の落下を防止すると共に、経年疲労や墜落の衝撃の蓄積により固着部分が分断されても、張出材が落下しないようにしたのである。
【００１４】
さらに、前記張出材の両側面に相反する方向へ迫り出す羽板が設けられ、前記羽板の下辺が天井クレーンのガーダーの上面に載置されるものとし、ガーダーに対する張出材の安定性を高めると共に、墜落発生時の荷重が分散するようにしたのである。
【発明の効果】
【００１５】
この発明に係る墜落防止方法によると、天井クレーンのガーダーの下方で高所作業を行う際、作業員が引寄ポールで安全ブロックのリトラクターから帯ロープを引き出し、自身が着用する安全帯の接続部と安全ブロック側の取付フックとを接続するだけで、墜落事故を防止して、高い安全性を確保することができる。
【００１６】
また、天井クレーンのガーダーの桁行方向に設けた随行レールに沿って安全ブロックを移動自在に支持することで、作業員が随行レールの下方を自由に移動しながら高所作業をできるようにすることができる。
【００１７】
また、高所作業を行わないときに、この墜落防止設備を天井クレーンのガーダーに取り付けたままにしておいても、天井クレーンの横行装置を墜落防止設備に妨げられることなく自由に移動させて、部品や荷物の吊上作業等を行うことができる。
【図面の簡単な説明】
【００１８】
【図１】この発明の墜落防止設備を備えた天井クレーン下での高所作業の準備過程を示す斜視図
【図２】同上の高所作業時の状態を示す斜視図
【図３】同上の墜落防止設備の天井クレーンへの取付状態を示す側面図
【図４】同上の墜落防止設備の平面図
【図５】同上の墜落防止設備の背面図
【図６】図３のVI−VI線に沿った墜落防止設備の断面図
【図７】同上の墜落防止設備のフック板の作用を示す部分拡大側面図
【図８】天井クレーンの操作盤の運転キーを利用した（Ｉ）カバーによる安全対策、（II）安全ピンの差込による安全対策をそれぞれ示す概略図
【図９】特許文献１に記載の墜落防止装置を使用した荷役作業等の高所作業時の状態を示す斜視図
【発明を実施するための形態】
【００１９】
以下、この発明の実施形態に係る墜落防止設備及びその設備を備えた天井クレーン下での高所作業における墜落防止方法を添付図面に基づいて説明する。
【００２０】
ここで示す墜落防止設備は、図１及び図２に示すように、天井クレーンのガーダー３０に取り付けられるものである。ガーダー３０は、ウェブ３１の上下にフランジ３２を有するＨ形鋼とされ、その桁行方向と直交する方向へ走行可能なものとされている。
【００２１】
また、天井クレーンはホイスト式であり、ガーダー３０に備えらえた横行装置３３は、巻上機３４のローラー３４ａがガーダー３０の下側のフランジ３２の上面を転動することにより、ガーダー３０の桁行方向に移動自在に懸垂支持され、巻上機３４からワイヤ３５及び滑車３６を介して吊フック３７が吊り下げられたものとされている。
【００２２】
そして、墜落防止設備は、ガーダー３０にその桁行方向に交差する方向に張り出して固着される複数本（２本のみ図示）の張出材１と、張出材１の先端部間にガーダー３０と平行となるように渡して固定された随行レール２と、随行レール２にその長さ方向に沿って移動自在に支持された安全ブロック３と、安全ブロック３のリトラクター３ａに巻回され巻取方向へ付勢された帯ロープ３ｂの先端の取付フック３ｃに繋がる被掛体４とから構成されている。
【００２３】
張出材１は、直立方向とされるウェブ１ａの上下にフランジ１ｂを備えたＨ形鋼から成り、図３〜図５に示すように、その基端部には、ウェブ１ａを挟んで２枚の鋼製のフック板５が取り付けられている。
【００２４】
フック板５には、張出材１の先端側が開いた鉤状部分をなす凹溝部５ａが設けられ、張出材１の下側のフランジ１ｂが凹溝部５ａに嵌め入れられて、張出材１のガーダー３０への取付前に、張出材１とフック板５が予め溶接され、又はボルトにより締結される。
【００２５】
張出材１のガーダー３０へ取付時には、ガーダー３０の上側のフランジ３２にフック板５の凹溝部５ａを引っ掛けて、フランジ３２を凹溝部５ａにより抱持し、張出材１の下側のフランジ１ｂとガーダー３０の上側のフランジ３２を溶接又はボルトにより締結する。
【００２６】
また、張出材１の両側面には、図３〜図６に示すように、相反する方向へ迫り出す２対の鋼製の羽板６が取り付けられている。羽板６は下辺が長い台形状とされ、張出材１と羽板６とは、張出材１のガーダー３０への取付前に予め溶接される。羽板６の下辺は、張出材１のガーダー３０への取付時にガーダー３０の上側のフランジ３２に載置され、その接触部が溶接される。また、溶接が省略されることもある。
【００２７】
随行レール２は、下面が開放されたチャンネル材の開口部両側に内向きのフランジを連設し、フランジの内縁に上向きの折返部を設けた形状とされ、短いアングル材７ａ及び抱持金具７ｂを介して張出材１の先端部の下側に取り付けられる。また、随行レール２は、継手金具を介して適宜の長さに延長される（図示省略）。
【００２８】
なお、張出材１の下側のフランジ１ｂには、設置場所の配線や障害物などの状況に応じてアングル材７ａの取付位置を変えられるように、アングル材７ａを固定するためのボルトの挿通穴１ｃが複数間隔を開けて穿設されている。
【００２９】
随行レール２には、二軸ローラーであるスライダー８が長さ方向に沿って走行自在に設けられ、スライダー８のローラーは、随行レール２のフランジに接触回転するように支持されている。随行レール２の端部には、スライダー８を抜け止めする抜止金具が取り付けられている（図示省略）。
【００３０】
安全ブロック３のリトラクター３ａは、スライダー８に連結環９を介して吊下状態で支持され、リトラクター３ａから垂れ下がる帯ロープ３ｂの先端に、取付フック３ｃを介して円環の被掛体４が吊り掛けられている。
【００３１】
このような墜落防止設備を備えた天井クレーンのガーダー３０の下方において高所作業を行う際には、図１に示すように、作業員は高所２０に上がる前に、低い位置の床面１０において、予め安全帯２１を着用しておく。安全帯２１は、ハーネス式又は腰ベルト式のものであり、墜落防止設備との接続部２２となるＤ環等を備えたものとする。
【００３２】
また、作業員は、引寄ポール２３を用意しておく。引寄ポール２３は、伸縮式の柄２４の先端に鉤状の引掛部２５を設けたものとする。
【００３３】
そして、作業員は、柄２４を伸ばした引寄ポール２３の引掛部２５を被掛体４に引っ掛けて、柄２４を縮めつつ、安全ブロック３のリトラクター３ａから帯ロープ３ｂを引き出して、安全帯２１の接続部２２と安全ブロック３側の取付フック３ｃとを接続し、取付フック３ｃから被掛体４を取り外した後、図２に示すように、高所２０に上がる。
【００３４】
このように準備した上で高所作業を行うと、仮に作業員が高所２０から足を踏み外しても、ガーダー３０から宙吊りされた状態となって救助を待つことができ、作業現場の床面１０への墜落事故が防止されるので、高い安全性を確保することができる。
【００３５】
また、天井クレーンのガーダー３０の桁行方向に延びる随行レール２に沿って安全ブロック３を移動自在に支持しているので、作業員が随行レール２の下方を自由に移動しながら高所作業をすることができる。
【００３６】
また、高所作業を行わないときに、この墜落防止設備を天井クレーンのガーダー３０に取り付けたままにしておいても、天井クレーンの横行装置３３を墜落防止設備に妨げられることなく自由に移動させて、部品や荷物の吊上作業等を行うことができる。
【００３７】
さらに、この墜落防止設備では、図７に示すように、張出材１の基端部に設けたフック板５の凹溝部５ａをガーダー３０の上側のフランジ３２に嵌め入れるので、図中鎖線で示すように、張出材１がガーダー３０に固着されていない状態で先端側が下がるように揺動しても、凹溝部５ａとフランジ３２が係合することから、ガーダー３０への取付作業時における張出材１の落下が防止され、経年疲労や墜落の衝撃の蓄積により張出材１や羽板６とガーダー３０の固着部分が分断されても、張出材１の落下が防止される。
【００３８】
また、張出材１の両側面に相反する方向へ迫り出す羽板６が設けられ、羽板６の下辺が天井クレーンのガーダー３０の上面に載置されるものとしているので、ガーダー３０に対する張出材１の安定性が高められると共に、墜落発生時の荷重が分散し、溶接部分の亀裂発生等が防止される。
【００３９】
なお、上記実施形態では、安全ブロック３の帯ロープ３ｂの先端の取付フック３ｃに円環の被掛体４を繋いだものを例示したが、被掛体４は、引寄ポール２３の引掛部２５が引っ掛けられるものであれば、フック等他の形状のものであってもよい。
【００４０】
また、天井クレーンとしてガーダー３０の下面沿いに横行装置３３が移動するホイスト式のものを例示し、張出材１がガーダー３０から３０ｃｍ〜１００ｃｍ程度張り出す形態としているが、天井クレーンがクラブトロリ式のものである場合には、張出材１を省略して、ガーダー３０の下面に随行レール２を取り付けるようにしてもよい。
【００４１】
ところで、高所作業中に天井クレーンのガーダー３０が移動すると、作業員が引きずられる恐れがあるため、それを防ぐ方法として、図８に示すように、天井クレーンの操作盤３８の運転キー３９を利用した安全対策を講じるとよい。
【００４２】
具体的には、図８（Ｉ）に示すように、運転キー３９に取り付けるキーホルダー４０に「高所作業中は必ずキーを抜く」旨を記載して、操作盤３８から運転キー３９を抜くように注意を促すと共に、操作盤３８のキー差込穴４１を「高所作業中 運転禁止」である旨を表示したカバー４２で覆うようにするとよい。
【００４３】
また、図８（II）に示すように、運転キー３９に安全ピン４３を取り付けておき、操作盤３８から運転キー３９を抜いて、安全ピン４３を被掛体４であるフックのピン穴４４に差し込まなければ、墜落防止設備を使用できないようにしてもよい。
【符号の説明】
【００４４】
１  張出材
１ａ  ウェブ
１ｂ  フランジ
１ｃ  挿通穴
２  随行レール
３  安全ブロック
３ａ  リトラクター
３ｂ  帯ロープ
３ｃ  取付フック
４  被掛体
５  フック板
５ａ  凹溝部
６  羽板
７ａ  アングル材
７ｂ  抱持金具
８  スライダー
９  連結環
１０  床面
２０  高所
２１  安全帯
２２  接続部
２３  引寄ポール
２４  柄
２５  引掛部
３０  ガーダー
３１  ウェブ
３２  フランジ
３３  横行装置
３４  巻上機
３４ａ  ローラー
３５  ワイヤ
３６  滑車
３７  吊フック
３８  操作盤
３９  運転キー
４０  キーホルダー
４１  キー差込穴
４２  カバー
４３  安全ピン
４４  ピン穴
【図１】
2018033785.tif 000003
【図２】
2018033785.tif 000004
【図３】
2018033785.tif 000005
【図４】
2018033785.tif 000006
【図５】
2018033785.tif 000007
【図６】
2018033785.tif 000008
【図７】
2018033785.tif 000009
【図８】
2018033785.tif 000010
【図９】
2018033785.tif 000011